(57)【特許請求の範囲】
【請求項１】
中央部分に絵馬型刳り抜き口を持つ絵馬型鍬、該鍬の上方の軸受片に回動自在に係止した係止金具、該鍬の両肩部に係止金具の両面を互いに圧接・固定して係止金具を所定傾斜位置で係止する締付金具、該係止金具の上端部に接合された柄長及び柄角度の調節可能な柄からなる刃の角度調整自在鍬であって、
（ａ）該締付金具による係止金具の圧接・固定が調節ネジの回転によるその先端に設けたゴム被い付き角板の係止金具への圧接・緩和によるものであり、（ｂ）柄は、元柄に接柄を接続することで柄長の調節を行い、（ｃ）元柄と接柄の両柄端部を合体するに当たり、１つの支点を軸に接柄を上下に微調整して柄角度を傾斜させる機構を設けて柄の角度を数段階に変化させ微調整できることを特徴とする刃の角度調整自在鍬。
【請求項２】
締付金具は、調節ネジと該調節ネジのネジ部が貫通する２つの角板と該角板の先端に被せたゴム被いからなり、しかも該角板には、該調節ネジのネジ部を角板に通すための穴が設けられていて、該穴にＵピンのネジ軸を差込んで角板を該ネジ部に固定した構成であって、締付金具の調節ネジを回転することによって、係止金具の表裏に設けた褶曲部に対して締付金具の先端に設けた角板に被せたゴム被いが圧接して、締付金具を締めたり緩めたりすることにより鍬本体の傾斜角度を調整・固定することを特徴とする請求項１記載の刃の角度調整自在鍬。
【請求項３】
元柄と接柄の両端部が重なりあってボルトとナットとでネジ止め連結された柄であって、接柄の端部の丸孔に差し込まれネジ止めされたボルトを支点にして且つ接柄の他の２つの長孔の幅分だけ上下に微移動可能であることを特徴とする、柄の傾斜角度を変化させ微調整することを特徴とする請求項１記載の刃の部角度調整自在鍬。
【発明の詳細な説明】
【０００１】
【発明の属する技術分野】
この発明は、除草作業を行う者の背の高さにより鍬基体及び柄の角度を調節し、また、除草作業を行う場所の広さによって柄の長さを調節できる刃の部角度調整自在鍬に関する。
【０００２】
【従来の技術】
従来、草削り鍬としては、柄と取付具と草削りと小唐鍬とからなるもの（実開平１−６３３０１号公報）、或いは替刃式草削鍬（実開平１−６３３０１号公報）が知られているが、これらの公知の鍬は、鍬と柄の部分が固定式であり、人の背高さや作業の広さにより柄の長さを調節することは出来ない。
極く最近、本出願人自身の出願として、人の背の高さや作業の広さにより柄の長さを調節できる（特願２００２−２５２００５号；特開２００４−５７１７７号公報）があり、その改良型として鍬の角度調節を行ない易くした（特願２００２−３２６０８７号；特開２００４−１２１１９４号公報）がある。
【０００３】
【発明が解決しようとする課題】
しかし、本発明の新規な鍬は、上記出願等に係る構造の鍬とは違い、土地を耕したり，土を掘ったりするのに、土に打ち付けて急激に強い力が柄や鍬に係ることはない。
また、草をとる方法の面から考えると、約１ｍ前方の草根に鍬の刃を当てて髭を剃るように地面の表面を手前に一気に引くと草は根から切れて草は簡単に削げない。
また、約１ｍ前方草の根に鍬の刃を当てて髭を剃るように地面の表面を手前に一気に引くとき、本発明では、除草作業を行う者の背高さにより鍬本体の傾斜角度の変更のみでは的確な除草作業に応じ切れない場合があるので、更に柄の角度を調節可能にした刃角度及び柄調整自在鍬とした。
この際、地面と鍬刃の角度が大いに問題となる。その角度が大きすぎると鍬刃は、草の根を切り難く、また、鍬刃の角度によっては刃が土に食込んだりするので、鍬刃の角度は、作業能率と大いに関係が深い。
従来の鍬では、本発明のような鍬刃と柄角度の調節装置は未だ知られておらず、不具合を有していた。
【０００４】
【課題を解決するための手段】
上記の種々の課題を検討した結果、かかる従来の不具合を解消するためになされたものであって、地面と鍬刃の角度が一定に保たれるように、人の背の高さや作業する場所の広さにより柄の長さを接ぐことができ、且つ柄角度の調節により、また鍬刄の角度調整により姿勢の良い状態で作業することができて、長時間作業を行っても腰への負担が少なくて疲労も少ないことを見出し、本発明を完成するに至った。
即ち、本発明は以下の通りのものである（理解を容易にとするために、部品符号等を入れた。）
（１）中央部分に絵馬型刳り抜き口２を持つ絵馬型鍬１、該鍬１の上方の軸受片６に回動自在に係止した係止金具３、該鍬１の両肩部に係止金具３の両面を互いに圧接・固定して係止金具３を所定傾斜位置で係止する締付金具４、４’該係止金具３の上端部に接合された柄長及び柄角度の調節可能な柄５からなる刃の角度調整自在鍬であって、
（ａ）該締付金具４による係止金具３の圧接・固定が調節ネジ１１の回転によるその先端に設けたゴム被い１３付き角板１２ｂ、１２ｂ’の係止金具３への圧接・緩和によるものであり、（ｂ）柄５は、元柄５ａに接柄５ｂを接続することで柄長の調節を行い、（ｃ）元柄５ａと接柄５ｂの両柄端部２１を合体するに当たり、１つの支点を軸に接柄５ｂを上下に微調整して柄角度を傾斜させる機構を設けて柄の角度を数段階に変化させ微調整できる刃の角度調整自在鍬を提供する。また、
（２）締付金具４、４’は、調節ネジ１１と該調節ネジ１１のネジ部が貫通する２つの角板１２ａ、１２ｂ；１２ａ’、１２ｂ’と該角板の先端に被せたゴム被い１３、１３’からなり、しかも該角板には、該調節ネジ１１のネジ部を角板に通すための穴２０ｂ、２０ｂ’が設けられていて、該穴にＵピン１５のネジ軸２２を差込んで角板を該ネジ部に固
定した構成であって、締付金具４、４’の調節ネジ１１を回転することによって、係止金具３の表裏に設けた褶曲部１６、１６’に対して締付金具４、４’の先端に設けた角板１２ｂ、１２ｂ’に被せたゴム被い１３、１３’が圧接して、締付金具４、４’を締めたり緩めたりすることにより鍬本体１の傾斜角度を調整・固定する（１）記載の刃の角度調整自在鍬を提供する。また、
（３）元柄５ａと接柄５ｂの両端部２１が重なりあってボルト１７ａ、１７ｂ、１７ｃとナット１８ａ、１８ｂ、１８ｃとでネジ止め連結された柄５であって、接柄５ｂの端部の丸孔２１ａに差し込まれネジ止めされたボルト１７ａを支点にして且つ接柄５ｂの他の２つの長孔２３、２３’の幅分だけ上下に微移動可能である、柄の傾斜角度を変化させ微調整することを特徴とする（１）記載の刃の部角度調整自在鍬を提供する。
【０００５】
【発明の実施の形態】
図面に基づいて本発明を説明する。
図１は、本発明の角度調整自在鍬の正面斜視図である。
図２は、本発明の角度調整自在鍬の背面斜視図である。
図３は、角度調整自在鍬において、締付金具による係止金具の固定状態を示す上面図である。
図４は、角度調整自在鍬において、（Ａ）は係止金具に対して解離状態にある締付金具の要部を示す横断面であり、（Ｂ）は調節ネジに設けた孔に差し込みその回転を助ける調節棒を示す側面図であり、（Ｃ）は締付金具を構成するブロック状の角板を調節ネジへの固定を助けるＵピンを、点線はネジ軸を示す。
図５は、角度調整自在鍬の全体図で、２点鎖線は柄角度の調整・柄の傾斜状態を示す。
図６〜８は、鍬刃の傾斜角度調節状態を説明する側面図であり、図６は傾斜角度５０°の場合を、図７は傾斜角度４０°の場合を、図８は傾斜角度３０°の場合を夫々示す。
図９−（ａ）は柄の構成と、柄の傾斜角度の調整機構を説明する組立図を示し、図９ー（ｂ）は柄傾斜後の状態を示す側面図である。
図１０は、柄の組立構成を示す説明図である。
図１１は、本発明の角度調整自在鍬の使用状態を説明する状態図である。
【０００６】
以下、図面に基づいて本発明を具体的に説明する。
図１〜３において、鍬本体１は絵馬型形状からなり、その中央部分に外形と略同型の形状のものを刳り抜て絵馬型くり抜き口２として、鍬本体１の軽量化と削ぎ土草の逃げ場を設け作業のし易さを図っている。
絵馬型形状の鍬本体１の上方側部に軸受片６、６’を一体に設け、その軸受片６、６’に回動自在に柄５と（ボルトとナットにより）接合された係止金具３を設け、鍬本体１の肩部の両側に締付金具４、４’を一体に設けて、その締付金具４、４’を構成する調節ネジ１１、１１’の締付け又は緩めることにより鍬本体１の傾斜角度を調節する。  係止金具３の両側には、図１、２に示すとおり、縦線状の凹凸を設けた褶曲部１６に締付金具４、４’を構成する調節ネジ１１の前方に設けたブロック状角板１２ｂ、１２ｂ’の先端に被せたゴム被い１３、１３’の圧接により係止金具３が密着し易くされている。
【０００７】
図２に示されるように、締付金具４、４’は鍬体１の両肩に一体に設けられ、ブロック状角板１２ａ，１２ｂ；１２ａ’，１２ｂ’を貫通した調節ネジ１１、１１’と、ブロック状角板１２ｂ，１２ｂ’の先端に被せたゴム被い１３ａ，１３ｂからなり、しかも図４に示されるように、該ブロック状角板には、該調節ネジのネジ部をブロック状角板に通すための穴２０ａ、２０ｂが設けられており、締付金具４、４’の該穴２０ａ，２０ｂにＵピン１５のネジ軸２２を差込んで、該調節ネジのネジ部に嵌挿する角板１２ａ、１２ｂ；１２ａ’，１２ｂ’を該ネジ部に固定する。
更に、締付金具４、４’の調節ネジ１１、１１’を回転することによって、係止金具３の表裏に設けた褶曲部１６、１６’に対して、締付金具３、３’の先端に設けた角板１２
ｂ、１２ｂ’に被せたゴム被い１３、１３’が圧接して、締付金具３、３’を締めたり緩めたりすることにより鍬基体１の傾斜角度を調整・固定する。
この場合、図４に示されるように、締付金具４を構成する調節ネジ１１、１１’の軸ネジの両端に設けた角板１２ｂ、１２ｂ’は、その穴２０にＵピン１５を差込んで該軸ネジに接合する構造となっており、調節ネジ１１、１１’を回転することにより、締付金具４、４’が係止金具３の褶曲部１６に圧接して鍬１を所定の傾斜角度に固定する。
【０００８】
調節ネジ１１、１１’の回転は、手動でも充分であるが、お年寄りや、握力のない人のために、調節ネジ１１、１１’のつまみの周囲に数個の孔２４が設けられ、その孔２４に調節棒２５を差込んで、締めたり緩めたりして鍬本体１の角度を調節することもできる。
なお、当板１４は、締付金具４、４’が円滑に係止金具３に圧接して所定の傾斜角度に固定するに際し、草、土等が締付金具４、４’に作業中にかからないように設けた。
【０００９】
そして、図６〜８に示すように、調節ネジ１１、１１’の回転により、締付金具４、４’は、係止金具３の両側を締めつけたり緩めたりすることによって、使用者の背の高さの程度により、係止金具３の表裏に設けた褶曲部１６の角度表示（図２参照）に合わせて、例えば鍬傾斜角度３０度、４０度、５０度と調節し、鍬本体１の傾斜角度を調節する。
例えば図６の場合は、鍬本体１の傾斜角度を５０度に選定しているが、この場合は比較的背の低い人が使用するときである（図１１−（ｂ）参照）。図７の場合は、鍬本体の傾斜角度を４０度に選定しているが、この場合は背の高さが標準的な人が使用するときである。図８の場合は、鍬本体１の傾斜角度を３０度に選定しているが、この場合は比較的背の高い人が使用するときである（図１１−（ａ）参照）。
【００１０】
草をとる方法としては、約１ｍ前方草の根に鍬の刃を当てて髭を剃るように地面の表面を手前に一気に引くと草は根から切れ草は削げる。その際、地面と鍬の刃の角度が大きすぎると鍬の刃は草の根にかかり難く、その角度によっては刃が土に食い込んだりしてその角度は、作業能率に関係が深いので、その角度の調節は重要である。
草の根にかかり易くて地面に深く食い込み難い、地面と鍬の刃の理想的な角度は、図７に示すように４０度前後である。
また、図１１に示すように、（ａ）背の高い人、（ｂ）背の低い人、（ｃ）背が曲がり極端に背の低い人の三段階が想定されるが、傾斜角度が１０度〜３０度の表示に合わせて微調整する。
図９に示すように、地面と鍬の刃の角度は、４０度に調節できるように設けてある。
【００１１】
鍬本体１の刃の角度調節は、調節ネジ１１，１１’の回転により、締付金具４、４’により係止金具３の両側を締付けたり緩めたりすることによる。
係止金具３の両側の褶曲部１６の適切な位置に３０度、４０度、５０度の角度表示を行うと（図２）、締付金具４、４’の圧接の際に角度表示の確認に有利であり、使用者の背の高さの程度により、傾斜位置決めを行なう。
【００１２】
図９に示すように、鍬本体１の角度を調節するほか、その微調整のために、係止金具３の上方に接合された元柄５ａの他端には、３個の丸孔２２ａ、２２ｂ、２２ｃが設けられ、元柄５ａ寄りに丸孔２１ａが、他の孔２３、２３’には長孔が設けられている。  丸孔２１ａを支点として、柄５の角度を使用する人の高さに応じて例えば１０度〜３０度に選定し、柄５の元柄５ａを３個のボルト１７ａ，１７ｂ，１７ｃとナット１８ａ，１８ｂ，１８ｃで接柄５ｂと係止され、丸孔２１ａを支点として柄が容易に上下に微移動することにより地面に対する鍬本体１の角度を微調節するものである。
【００１３】
更に、背の高さ、柄の角度及び鍬の角度の関係は、下表に示すものである。
【表１】
0003818964.tif 000002
しかしながら、植物の種類によっては一年草の雑草は根が浅いものが多く土を浅く削れば良く、多年草の野草は根が深く土を深く削る必要がある。
鍬刃の角度は、草質や体力によって異なり４０度以上のこともあれば４０度以下の場合もあって、上記表はあくまでも目安である。
【００１４】
図９、１０に示されるように、柄５は、元柄５ａと接柄５ｂとからなり、元柄５ａの一端に柄端部１５に設けられた３個の孔２２ａ，２２ｂ，２２ｃと接柄５ｂの端部に丸孔２１ａと、他の２つの長孔２３ｂ，２３ｃとが、３個のボルト１７ａ，１７ｂ，１７ｃとナット１８ａ，１８ｂ，１８ｃとでネジ止めされることにより元柄５ａと接柄５ｂとが連結し、丸孔２１ａに差し込まれたネジ止めされたボルト１７ａを支点として上下に微移動する構造となっており、鍬刃１の角度調整自在で且つ柄５の傾斜角度も自在な鍬が提供された。
更に、図１０に示されるように、柄５は元柄５ａと接柄５ｂから構成され、元柄の他端の外側に雌ネジ切２６が、また元柄５ａに接続される接柄５ｂの内側に雄ネジ切２５が設けられて互いにネジ込み装着すると、柄５が形成される。
接柄５ｂは、その長さが使用する場所又は背の高さによって大、中、小と用意され（図示されていない）、使用目的に合わせて選ぶことができて誠に便利なものである。
【００１５】
【発明の効果】
（１）一般の鍬とは違い、また土地を耕したり土を掘ったりするのと違い、土地に打ち付けて急激に強い力が柄や鍬に係ることはない。
（２）この鍬の使用方法としては、約１ｍ前方草の根に鍬の刃を当てて髭を剃るように地面の表面を手前に一気に引くことにより草の根を切り草は削げる。
これにより草は枯れ、表面の土は１ｃｍ〜２ｃｍほどに削がれるので、土と草は分離し易くなるため、草の除去作業も効果的である。
（３）草の根にかかり易く地面に深く食い込み難い地面と鍬の刃の理想的な角度の位置を保持するものである。
その理想的な角度は４０度前後であるが、背の高い人、背の低い人、背が曲がり極端に背の低い人により、主として鍬基体の角度調節は、その刃部固定金具の中央部に軸の両端にボルトの調節と柄の取付け角度調整とにより、図１１に示すように、作業の際に夫々地面と鍬の刃の角度は４０度に保たれ、姿勢の良い状態で作業ができるので疲れることが無く長時間作業ができ効率的である。
（４）その部品の数も少なくすみ、その組立作業も簡単であるので、需要者には安価に提供できるものである。
【図面の簡単な説明】
【図１】  本発明の角度調整自在鍬の正面斜視図である。
【図２】  本発明の角度調整自在鍬の背面斜視図である。
【図３】  角度調整自在鍬において、締付具による係止具の固定状態を示す平面図である。
【図４】  角度調整自在鍬において、（Ａ）は係止具に対して解離状態にある締付具の要部を示す横断面であり、（Ｂ）は調節ネジに設けた孔に差し込みその回転を補助する補助棒を示す側面図であり、（Ｃ）は締付具を構成するブロック状の角板１２を調節ネジへの固定を助けるＵピンを、点線はネジ軸を示す。
【図５】  角度調整自在鍬の全体図で、２点鎖線は柄角度の調整・柄の傾斜状態を示す。
【図６】  鍬刃の傾斜角度調節状態を説明する側面図であり、傾斜角度５０°の場合を示す。
【図７】  鍬刃の傾斜角度調節状態を説明する側面図であり、傾斜角度４０°の場合を示す。
【図８】  鍬刃の傾斜角度調節状態を説明する側面図であり、傾斜角度３０°の場合を示す。
【図９】  （ａ）は柄の構成、元柄と補助柄との区別、柄の傾斜角度の調整機構を説明する組立図を示し、（ｂ）は柄傾斜後の状態を示す側面図である。
【図１０】  柄の組立構成を示す説明図である。
【図１１】  本発明の角度調整自在鍬の使用状態を説明する状態図である。
【符号の説明】
１  絵馬型鍬
２  絵馬型刳り抜き口
３  係止金具
４、４’  締付金具
５  柄
５ａ、５ｂ  元柄、接柄
６  軸受片
７  握部
１１、１１’  調節ネジ
１２ａ、１２ｂ；１２ａ’、１２ｂ’，角板
１３、１３’  ゴム被い
１４、１４’  当板
１５  Ｕピン
１６  褶曲部
１７ａ、１７ｂ、１７ｃ  ボルト
１８ａ、１８ｂ、１８ｃ  ナット
１９ａ、１９ｂ、１９ｃ  タガネ
２０ａ、２０ｂ  穴
２１  柄端部
２１ａ  丸孔
２２  ネジ軸
２２ａ、２２ｂ、２２ｃ  丸孔
２３、２３’  長孔
２５  調節棒
２６  度数表示部
２７  指針
２８、２８’  雄ネジ切、雌ネジ切
【図１】
0003818964.tif 000003
【図２】
0003818964.tif 000004
【図３】
0003818964.tif 000005
【図４】
0003818964.tif 000006
【図５】
0003818964.tif 000007
【図６】
0003818964.tif 000008
【図７】
0003818964.tif 000009
【図８】
0003818964.tif 000010
【図９】
0003818964.tif 000011
【図１０】
0003818964.tif 000012
【図１１】
0003818964.tif 000013